(57)【要約】      （修正有）【課題】構造が簡単で、断路器部品の設置場所で作業が可能で、作業コストが低く、作業工程の簡易化を実現できる断路器部品を積み卸しするための持ち上げ装置を提供する。【解決手段】断路器部品はケース１に配置され、ケース１が開口を有し、開口の外側に突出する枠部材１３が設けられ、枠部材１３とケース１の表面との間に、上溝部１４及び下溝部１５を備える。断路器部品を積み卸しするための持ち上げ装置は、本体２を備え、本体２は、上溝部１４を引っ掛ける上固定部材２１と、下溝部１５を引っ掛ける下固定部材２２と、吊り具３を吊り上げる支持部材２４とを備える。本体２の底端には、調整用ボルト２３が螺設され、本体２に対して調整用ボルト２３の螺入又は螺出することで、本体２の長さを調整でき、本体２を安定して地面に固定することができる。【選択図】図３
0003230297.tif 000002
【実用新案登録請求の範囲】
【請求項１】
断路器部品を積み卸しするための持ち上げ装置であって、前記断路器部品がケースに配置され、前記ケースは、開口を有し、前記開口の外側に、突出する枠部材が設けられ、前記枠部材と前記ケースの表面との間には、上溝部と下溝部とが形成され、
前記持ち上げ装置は、本体と吊り具と調整用ボルトと備え、
前記本体は、前記上溝部を引っ掛ける上固定部材と、前記下溝部を引っ掛ける下固定部材と、支持部材とを備え、
前記吊り具は、前記支持部材に引っ掛けるように設けられ、
前記調整用ボルトは、前記本体の底端に螺設され、前記本体に対して前記調整用ボルトが螺入又は螺出することによって、前記本体の長さを調整する、ことを特徴とする断路器部品を積み卸しするための持ち上げ装置。
【請求項２】
前記支持部材に、前記吊り具を位置決めするための掛合部材が設けられる、ことを特徴とする請求項１に記載の断路器部品を積み卸しするための持ち上げ装置。
【請求項３】
前記吊り具は、手持ち式クレーンである、ことを特徴とする請求項１に記載の断路器部品を積み卸しするための持ち上げ装置。
【請求項４】
前記吊り具は、電動式クレーンである、ことを特徴とする請求項１に記載の断路器部品を積み卸しするための持ち上げ装置。
【考案の詳細な説明】
【技術分野】
【０００１】
本考案は、持ち上げ装置に関し、特に断路器部品を積み卸しするための持ち上げ装置に関する。
【背景技術】
【０００２】
変電所は、電圧を増減し、電力を分配するための使用される電力変換ステーションである。高圧電力を遮断するために使用される断路器は、高圧窒素で満たされたエネルギー貯蔵シリンダーである。当該断路器は、ケース内に設置され、変電所設備の正常動作に安定した電力を提供するために、定期的に、または、変電所の正常な動作を維持するために効率が低下した場合、取り出して交換する必要がある。
【０００３】
しかし、エネルギー貯蔵用タンクは非常に重いため、メンテナンスの作業員が手動で移動できない。また、安全上の理由から、ケースの開口部は、ケースの底部よりも高く設定されているので、メンテナンス中に、クレーン車の吊り索で圧力貯蔵用タンクを引っ掛けて、持ち上げて取り出す必要がある。この作業方法では、クレーンの運用コストが高いことに加えて、偶発的な接触による事故を回避するために、変電所の安全規制に基づいて、近くのエリアの電力網を停電する必要がある。しかし、送電網を停電することは容易でなく、停電による障害のリスクも増えるにもかかわらず、施工手順も複雑になるため、それを改善する作業方法の提供が必要となった。
【考案の概要】
【考案が解決しようとする課題】
【０００４】
本考案の目的は、構造簡単、断路器部品の場所で作業可能、且つ低作業コスト・作業工程の簡易化を実現できる断路器部品を積み卸しするための持ち上げ装置を提供することである。
【課題を解決するための手段】
【０００５】
上記の目的を達成するために、本考案は、断路器部品を積み卸しするための持ち上げ装置であって、前記断路器部品がケースに配置され、前記ケースは、開口を有し、前記開口の外側に、突出する枠部材が設けられ、前記枠部材と前記ケースの表面との間には、上溝部と下溝部とが形成され、
前記持ち上げ装置は、本体と吊り具と調整用ボルトと備え、
前記本体は、前記上溝部を引っ掛ける上固定部材と、前記下溝部を引っ掛ける下固定部材と、支持部材とを備え、
前記吊り具は、前記支持部材に引っ掛けるように設けられ、
前記調整用ボルトは、前記本体の底端に螺設され、前記本体に対して前記調整用ボルトが螺入又は螺出することによって、前記本体の長さを調整する、ことを特徴とする断路器部品を積み卸しするための持ち上げ装置を提供する。
【０００６】
好ましくは、前記支持部材に、前記吊り具を位置決めするための掛合部材が設けられる。
【０００７】
好ましくは、前記吊り具は、手持ち式クレーン又は電動式クレーンである。
【０００８】
本考案の上記の目的及び利点は、以下の実施形態及び図面によって詳細に説明する。
【図面の簡単な説明】
【０００９】
【図１】本考案の立体図であるである。
【図２】本考案が変圧機器に取り付けられた状態の立体図である。
【図３】本考案が変圧機器に取り付けられた状態の立体図である。
【図４】図１のＡ部分の局在部拡大図である。
【図５】本考案の使用状態を示す図である。
【図６】本考案の使用状態を示す図である。
【考案を実施するための形態】
【００１０】
図１〜図３は、本考案によって提供される変電所の変圧機器の部品を積み卸しするための持ち上げ装置を示している。上述の断路器部品は、内部が高圧窒素ガスで満たされた圧力貯蔵用タンク４であり、前記断路器部品がケース１内に設置され、前記ケース１の一側面に第１開口１１が設けられ、他側面に第２開口１２が設けられ、前記第２開口１２は、ケース１の底部よりも高い位置に設置され、前記第１開口１１の外側に、突出する枠部材１３が設けられ、前記枠部材１３は、直角屈曲構造を形成し、且つ前記ケース１の表面との間に、上溝部１４及び下溝部１５が設けられている。
【００１１】
本考案の持ち上げ装置は、本体２と吊り具３とを含む。前記本体２は、前記ケース１の第１開口１１の外部に設置可能な直立した長い直棒である。前記本体２のある高さ位置に、上固定部材２１が固定され、別の高さ位置に、位置調整可能な下固定部材２２が設けられている。前記上固定部材２１には、図４に示すように前記上溝部１４を掛け合うための凸状ブロック部材２１１が設けられ、前記下固定部材２２には、前記下溝部１５を掛け合うための凸状ブロック部材２２１が設けられ、これらによって、前記本体２が前記第１開口１１の外側に安定して取り付けられることができる。
【００１２】
また、前記本体２の底部に、調整用ボルト２３が螺設されており、前記調整用ボルト２３が回転することにより、前記本体２に対して螺入又は螺出することができる。地面の高さに応じて前記調整用ボルト２３が延出する長さを調整することにより、前記本体２を地面に密着させ、前記第１開口１１の外側で本体２をより安定して取り付けることができる。
【００１３】
また、前記本体２の頂部が前記ケース１よりも高く、且つ前記ケース１を跨ぐ支持部材２４が設けられており、前記支持部材２４上に、前記吊り具３を引っ掛けるための環状の掛合部材２５が設けられている。本実施形態では、前記吊り具３は、小型の手持ち式クレーンまたは電気クレーンであり、その上端に鉤部３１が設けられ、前記鉤部３１は、前記支持部材２４の環状の掛合部材２５上に位置決め可能に引っ掛けられている。
【００１４】
以上の構成により、圧力貯蔵用タンク４を前記ケース１より吊り下げて交換することができる。図２に示すように、前記ケース１の第２開口１２の位置が地面よりも高いので、前記第２開口１２には、下向きに傾斜して地面に当接する平板５が設けられ、前記平板５の両側には抑さえ片５１を備え、前記平板５の一端がＣ型クランプ５２を介して前記ケース１の内側に引っ掛けられ、他端がボルト５２１により前記抑さえ片５１に押し付けられている。これによって、前記平板５が前記ケース１に固定される。
【００１５】
そして、図３に示すように、前記本体２が前記第１開口１１の外側に立て、且つ前記上固定部材２１によって前記上溝部１４に引っ掛け、前記下固定部材２２によって前記下溝部１５に引っ掛け、最後に、前記調整用ボルト２３を回して地面に近づけることで、前記本体２を固定する。続いて、前記吊り具３の吊り索３２を圧力貯蔵用タンク４の頂部にある結合部４１に引っ掛けて、吊り索３２を引けば、図５に示すように、圧力貯蔵用タンク４を持ち上げることができる。圧力貯蔵用タンク４が前記第２開口１２よりも高い位置に達すると、図６に示すように、前記圧力貯蔵用タンク４を前記第２開口１２から押し出して、前記平板５に沿ってゆっくりとスライドさせて分解作業を完了することができる。
【００１６】
上述したように、本考案の利点は、圧力貯蔵用タンク４の分解・持ち上げ作業を簡単に完了することができる。また、圧力貯蔵用タンク４の分解作業は、その場所で実行でき、高価のクレーン車を使用しないので、作業コストを削減することができる。また、クレーン車を使用しないため、クレーンが有電ケーブルを誤って引っ掛ける危険性がなくなり、近隣の送電網を停電する必要がなく、停電による障害のリスク及び感電リスクを低減し、施工手順も簡素化できる。
【００１７】
上述した実施形態は、本考案を説明するために使用されており、本考案を限定するためのものではない。また、本考案の構成は、等効の要素に変更することもでき、その変更は本考案登録請求の範囲含まれることを留意されたい。
【００１８】
以上の内容により、本考案の技術分野における当業者が前記の目的を達成することができるため、およびそれが実際に実用新案法の規定に準拠していることを理解できるので、実用新案登録申請を行う。
【符号の説明】
【００１９】
ケース１                      第１開口１１
第２開口１２                  枠部材１３
上溝部１４                    下溝部１５
本体２                        上固定部材２１
凸状ブロック部材２１１        下固定部材２２
凸状ブロック部材２２１        調整用ボルト２３
支持部材２４                  掛合部材２５
吊り具３                      鉤部３１
吊り索３２          圧力貯蔵用タンク４
結合部４１          平板５
抑さえ片５１        Ｃ型クランプ５２
ボルト５２１
【図１】
0003230297.tif 000003
【図２】
0003230297.tif 000004
【図３】
0003230297.tif 000005
【図４】
0003230297.tif 000006
【図５】
0003230297.tif 000007
【図６】
0003230297.tif 000008